(57)【特許請求の範囲】
【請求項１】
建物の外壁面に取付下地材を装着し、取付下地材を外方から覆い隠すように第１装飾材を取付下地材に装着し、第１装飾材に建物側に凹没させた凹部を形成し、この凹部の奥部の両端部分には側方に凹没させて凹部の横幅を広くさせるような係脱凹所をそれぞれ形成し、第２装飾材の左右端部から建物側に側片をそれぞれ突設し、この側片の建物側端部に上記側片の対向方向と反対方向である側方に爪部を突設し、上記爪部を係脱凹所に係合させて第２装飾材を第１装飾材の凹所内に着脱自在に装着したことを特徴とする建物装飾具。
【発明の詳細な説明】
【０００１】
【発明の属する技術分野】
本発明は、建物の外壁面にワンポイントのアクセントを施すための建物装飾具に関する発明である。
【０００２】
【従来の技術及び発明が解決しようとする課題】
従来から、建物の外壁面にはその外観を向上させるように建物の外壁面に部分的なペイントを施したり、部分的にその表面形状に変化をつけたりして様々な装飾を施しているものである。そして、上記外壁面への装飾における一つの例として、建物の外観にワンポイントのアクセントを与える建物装飾具を外壁面の適所に取り付けるものがあった。この建物装飾具やペイント等による建物の外壁面の装飾においては建物の外観に飽きが生じた場合にも施工した後には容易に取り替えたりすることができないものであり、建物所有者の建物の外観変更の要望等に即座に応えられるものではなかった。
【０００３】
本発明は上記の点に鑑みてなされたものであり、建物の外壁面に取り付けて建物の外観にワンポイントのアクセントを施す建物装飾具において、様々なバリエーションの外観を容易に施し得る建物装飾具を提供することを課題としている。
【０００４】
【課題を解決するための手段】
上記課題を解決するために本発明に係る建物装飾具は、建物の外壁面Ｂに取付下地材３を装着し、取付下地材３を外方から覆い隠すように第１装飾材１を取付下地材３に装着し、第１装飾材１に建物側に凹没させた凹部１１を形成し、この凹部１１の奥部の両端部分に凹部１１の横幅を広くさせるように側方に凹没させた係脱凹所１２をそれぞれ形成し、第２装飾材２の左右端部から建物側に側片１６をそれぞれ突設し、この側片１６の建物側端部に上記側片１６の対向方向と反対方向である側方に爪部１７を突設し、上記爪部１７を係脱凹所１２に係合させて第２装飾材２を第１装飾材の凹所１１内に着脱自在に装着したことを特徴とする。これにより、第１装飾材１によって外観に取付下地材３を露出させないようにできるのであり、また、第１装飾材１に第２装飾材２を着脱自在に装着できるものであることから、第１装飾材１の外面に施した模様と異なる模様を外面に施した第２装飾材２を多数種類揃えると共に上記多数種類の第２装飾材２のうちの任意の第２装飾材２を第１装飾材１に配置することができるものである。
【０００５】
【発明の実施の形態】
以下、本発明を添付図面に示す実施形態に基づいて説明する。
【０００６】
図１乃至２に本発明の実施の形態の例を示す。建物の外観にワンポイントのアクセントを施すための本例の建物装飾具Ａは、例えば図２に示すように、屋根の軒下部分の外壁面Ｂや、ベランダの部分の外壁面Ｂや、２階と１階との間の部分の外壁面Ｂ等の適所に取り付けるものである。この建物装飾具Ａは、アルミニウムや合成樹脂等から形成されるものであって、図１に示すように、建物の外壁面Ｂにねじ等の固着具７を介して取り付ける取付下地材３と、外面に模様を施すと共に上記取付下地材３の外面を被覆するように装着される第１装飾材１と、上記第１装飾材の外面に施した模様とは異なる模様を外面に施すと共に上記第１装飾材１に着脱自在に取り付ける第２装飾材２と、で構成したものである。ここで、模様の相違とは形状の相違に留まらずに色彩等の相違をも含むものと考える。以下、上記建物装飾具Ａにつき詳述する。
【０００７】
取付下地材３は、両側端に縦片４を設けると共に上記縦片４間に横片５を架設して水平断面略Ｈ字状に形成されると共に、縦片４の外面側端部には上記縦片４の対向方向にそれぞれ内側突部６を突設させて構成されている。上述したように取付下地材３は建物の外壁面Ｂに装着されるものであるが、取付下地材３の建物の外壁面Ｂへの装着は、縦片４の建物側の端部を建物の外壁面Ｂに当接させると共に横片５の裏面部を建物の外壁面Ｂに対向させて配置し、上記横片５の適所に建物の外壁面Ｂに打入したネジ等の固着具７を貫通させて行われるものである。
【０００８】
第１装飾材１は、外面に凹凸等の模様を施した化粧板８を少なくとも取付下地材３の上下幅及び横幅より大きく形成し、上記化粧板８の上下端部からそれぞれ建物側に横板９を突設させると共に上記化粧板８の左右端部からそれぞれ建物側に縦板１０を突設させ、上記横板９と縦板１０との端部同士を連結させて化粧板８の裏面の周縁に亘る矩形状枠体１８を形成し、上記化粧板８の中央部に建物側に凹没させた凹部１１を上下に亘って設けて構成されるものである。この凹部１１の奥部の両端部分には側方に凹没させて凹部１１の横幅を広くさせるような係脱凹所１２をそれぞれ上下に亘って設け、また、取付下地材３の一対の縦片４に対向した化粧板８の裏面部分には突片１３を建物側にそれぞれ突設させ、上記突片１３の建物側端部にそれぞれ上記突片１３の対向方向と反対方向である側方に外側突部１４を突設させている。上述したように第１装飾材１は取付下地材３の外面を被覆するように装着されるものであるが、第１装飾材１の取付下地材３への装着は、第１装飾材１の一対の突片１３の外側突部１４を取付下地材３の縦片４の内側突部６の建物側（取付下地材３の内側突部６と縦片４と横片５との３者で囲まれる部分）にそれぞれ廻り込ませて係合させると共に、第１装飾材１の上部に位置した横板９の下面を取付下地材３の上端面に係止させることで、係脱自在に行われるものである。このように取付下地材３に装着した第１装飾材１は上記取付下地材３の外面を化粧材８及矩形状枠体１８で被覆させるように位置するため、外方から取付下地材３を覆い隠すものであって、建物装飾具Ａの外観に上記取付下地材３を露出させないようにして、建物装飾具Ａ、ひいては建物の外観を損なわせないようにしている。
【０００９】
第２装飾材２は、外面に凹凸等の模様を施すと共に上記第１装飾材１の凹部１１と同様の上下幅及び横幅に形成した中央化粧板１５の左右端部からそれぞれ建物側に側片１６を突設すると共に、側片１６の建物側端部に上記側片１６の対向方向と反対方向である側方に突出した爪部１７をそれぞれ設けて構成されるものである。上述したように第２装飾材２は第１装飾材１に装着されるものであるが、第２装飾材２の第１装飾材１への装着は、第１装飾材１の凹部１１に第２装飾材２を挿入させると共に第２装飾材２の爪部１７を第１装飾材１の係脱凹所１２に係合させることで、着脱自在に行われるものである。つまり、建物装飾具Ａの正面外観としては、第１装飾材１の化粧板８の中央に第２装飾材２の中央化粧板が露出するような外観を現出させているものである。
【００１０】
本例では、第１装飾材１の化粧板８及び第２装飾材２の中央化粧材１５共にその外面には上下に亘る複数条の凹凸を形成させているものであるが、第１装飾材１の化粧板８は扁平板状に形成されており、第２装飾材２の中央化粧材１５は建物側に凹曲した凹曲面状に形成されている。すなわち、第１装飾材の外面に施した模様と第２装飾材の外面に施した模様とは異なるものであって、第１装飾材１の中央部にその上下に亘って配置された第２装飾材２が建物装飾具Ａの外観にアクセントをつけさせているものである。
【００１１】
ここで、第２装飾材２が第１装飾材１に着脱自在に装着されることから、第１装飾材１の化粧板８の外面に施した模様とは異なる模様を外面に施した中央化粧板１５を有した第２装飾材２を多数種類揃えると共に上記多数種類の第２装飾材２のうちの任意の第２装飾材２を第１装飾材１の凹部１１に配置することで、建物装飾具Ａの外観にバリエーションをつけさせることができるものであり、ひいては、建物の外観にも様々なバリエーションの外観を現出させることができるものである。更に言うと、側片１６の爪部１７を第１装飾材１の凹部１１の係脱凹所１２に挿入させることで第２装飾材２の第１装飾材１への装着が着脱自在に行われることから、上記任意の第２装飾材２の第１装飾材１への付け替え作業においても施工性良く容易に行わせることができるものであって、建物所有者の建物の外観変更の要望にも即座に応えることができるものである。
【００１２】
【発明の効果】
上記のように本発明の建物装飾具にあっては、建物の外壁面に取付下地材を装着し、取付下地材を外方から覆い隠すように第１装飾材を取付下地材に装着したので、第１装飾材によって外方に取付下地材を露出させないようにでき、建物装飾具、ひいては建物の良好な外観を確保できるのであり、また、第１装飾材に建物側に凹没させた凹部を形成し、この凹部の奥部の両端部分には側方に凹没させて凹部の横幅を広くさせるような係脱凹所をそれぞれ形成し、第２装飾材の左右端部から建物側に側片をそれぞれ突設し、この側片の建物側端部に上記側片の対向方向と反対方向である側方に爪部を突設し、上記爪部を係脱凹所に係合させて第２装飾材を第１装飾材の凹所内に着脱自在に装着したので、第１装飾材によって外観に取付下地材を露出させないようにできるのであり、また、第１装飾材の外面に施した模様と異なる模様を外面に施した第２装飾材を多数種類揃えると共に上記多数種類の第２装飾材のうちの任意の第２装飾材を第１装飾材に配置することができるものであって、建物の外壁面に取り付けて建物の外観にワンポイントのアクセントを施す建物装飾具に様々なバリエーションの外観を現出させることができ、ひいては、建物の外観にも様々なバリエーションの外観を現出させることができ、建物所有者の建物の外観変更の要望にも即座に応えることができるものである。
【図面の簡単な説明】
【図１】本発明の実施の形態の例を示す建物装飾具を示すものであり、（ａ）は水平断面図であり、（ｂ）は正面図である。
【図２】（ａ），（ｂ）は、同上の建物装飾具を外壁面の適所に取り付けた建物の例を示す正面図である。
【符号の説明】
１  第１装飾材
２  第２装飾材
３  取付下地材
６  内側突部
８  化粧材
１１  凹部
１２  係脱凹所
１４  外側突部
１５  中央化粧板
１７  爪部
【図１】
0003541017.tif 000002
【図２】
0003541017.tif 000003